(57)【特許請求の範囲】
【請求項１】
演奏音を入力する入力手段と、
入力された演奏音に応じた演奏情報を抽出する演奏情報抽出手段と、
抽出された演奏情報に基づいて、前記演奏音を発生するためのカロリー消費量を割り出す演算手段と、
を備えた演奏カロリー消費量測定装置。
【請求項２】
前記演奏情報抽出手段によって抽出される演奏情報に対応するカロリー消費量を記憶したリファレンスデータベースを備え、
前記演算手段は、抽出された演奏情報で前記リファレンスデータベースを検索することによってカロリー消費量を割り出す請求項１に記載の演奏カロリー消費量測定装置。
【請求項３】
前記リファレンスデータベースを、複数種類の楽器または歌唱のそれぞれに対応して複数備え、
該複数のリファレンスデータベースのうち１つを選択して前記演算手段に供給する選択手段を備えた請求項２に記載の演奏カロリー消費量測定装置。
【請求項４】
前記演算手段が割り出したカロリー消費量を積算する積算手段を備えた請求項２または請求項３に記載の演奏カロリー消費量測定装置。
【請求項５】
特定曲の所定区間毎の標準的なカロリー消費量であるフレーズカロリーデータを記憶した記憶手段を備え、
前記演算手段は、前記演奏情報抽出手段によって抽出された演奏情報に基づいて前記特定曲の所定区間毎のカロリー消費量を割り出し、前記フレーズカロリーデータとの比較結果を出力する手段である請求項１乃至請求項４のいずれかに記載の演奏カロリー消費量測定装置。
【発明の詳細な説明】
【０００１】
【発明の属する技術分野】
この発明は、入力された演奏音に基づいて、演奏者の演奏操作や歌唱行為によるカロリー消費量を計測することができる演奏カロリー消費量測定装置に関する。
【０００２】
【従来の技術】
楽器を演奏するという行為や歌唱する行為は、相当量の体力的なエネルギーを使うものである。このエネルギーの消費量を客観的に測定すれば、どの程度練習できたかの指標にもなるし、また、楽器の演奏とダイエットとを両立させたい人には楽器の演奏でどの程度のカロリーを消費したかを知ることができれば、それを参考にしてダイエットを進めることも可能になる。
【０００３】
従来、楽器の演奏によるカロリー消費量を測定する専用装置はなかったが、たとえば歩行の歩数を測定する万歩計を腕につけて鍵盤楽器を演奏すれば打鍵の回数を測定することは不可能ではなかった。
【０００４】
【発明が解決しようとする課題】
しかし、上記万歩計を腕につけたものでは、単に打鍵回数を測定することができるのみで、打鍵の強さ、音高などを測定することができず、また、打鍵以外の動作も検出してしまって正確さに欠けるという欠点があった。また、万歩計のような振動センサでは、鍵盤楽器など一部の種類の楽器についてしか測定することができず、管楽器や歌唱のカロリー消費量を測定することができなかった。
【０００５】
この発明は、演奏者の演奏行為によるカロリー消費量を測定することのできる演奏カロリー消費量測定装置を提供することを目的とする。
【０００６】
【課題を解決するための手段】
請求項１の発明は、演奏音を入力する入力手段と、入力された演奏音に応じた演奏情報を抽出する演奏情報抽出手段と、抽出された演奏情報に基づいて、前記演奏音を発生するためのカロリー消費量を割り出す演算手段と、を備えたことを特徴とする。
【０００７】
この発明において、演奏音とは、楽器の演奏によって発生した楽音を含むことは勿論であるが、歌唱者が歌唱した歌唱音声を含む概念である。したがって、カラオケ装置において、カラオケ演奏に合わせて歌唱された歌唱音声もこの発明の演奏音に含まれる。入力手段は、一般的には音声信号を入力するマイクで実現されるが、弦楽器の胴やピアノのフレームの振動を検出するコンタクトマイク（振動センサ）で構成することもできる。この入力手段が演奏音を入力し、演奏情報抽出手段に供給する。演奏情報抽出手段は、この演奏音から音高、ベロシティ（ノートオン時の強度情報）などの演奏情報を抽出する。演算手段は、前記演奏音から抽出された演奏情報に基づいてその演奏音を発生する演奏操作で消費したカロリー（カロリー消費量）を割り出す。演奏情報とカロリー消費量との関係は、たとえば、鍵盤楽器の場合、ベロシティが大きいほどカロリー消費量が大きい、同じ打鍵回数でも打鍵間隔が短いほどカロリー消費量が大きい、連続した打鍵の音高のジャンプが大きいほどカロリー消費量が大きいなどのルールに基づいてカロリー消費量を割り出す。また、歌唱の場合には、上記鍵盤楽器のルールに加えて、音高が高いほどカロリー消費量が大きいというルールが成立する。ここで、カロリー消費量は演奏者の演奏操作によるエネルギー消費量を一般的に表したものであり、算出の単位がカロリー（Ｃａｌ）に限定されるものではない。たとえばジュールや消費量と同等のカロリーを有する食物のグラム数などで表してもよい。
【０００８】
請求項２の発明は、請求項１の発明において、前記演算手段は前記演奏情報抽出手段によって抽出される演奏情報に対応するカロリー消費量を記憶したリファレンスデータベースを備え、前記演奏情報抽出手段が抽出した演奏情報で前記リファレンスデータベースを検索してカロリー消費量を割り出すことを特徴とする。
【０００９】
この発明において、リファレンスデータベースは、演奏操作の強さ（ベロシティ）、発音指示した音の高さ（音高）など１つの演奏情報に対応するカロリー消費量に加えて、演奏操作の間隔や音高のジャンプなど複数の演奏情報に対応するカロリー消費量も記憶している。この演奏情報に対応するカロリー消費量は、上記のように、ベロシティが大きいほどカロリー消費量が大きい、同じ打鍵回数でも打鍵間隔が短いほどカロリー消費量が大きい、連続した打鍵の音高のジャンプが大きいほどカロリー消費量が大きい、音高が高いほどカロリー消費量が大きい、などのルールで割り出すことができ、リファレンスデータベースは、これらのルールを定量化したものである。演奏情報抽出手段から演奏情報が入力されたとき、演算手段は、この演奏情報でリファレンスデータベースを検索し、対応するカロリー消費量を割り出す。
【００１０】
請求項３の発明は、請求項２の発明において、前記リファレンスデータベースを、複数種類の楽器または歌唱のそれぞれに対応して複数備え、該複数のリファレンスデータベースのうち１つを選択して前記演算手段に供給する選択手段を備えたことを特徴とする。
【００１１】
この発明においては、入力手段はマイクなどで構成され、演奏者がどのような楽器（歌唱歌唱を含む：以下同じ）の演奏音を入力手段から入力するかは自由である。そこで、複数種類の楽器や歌唱のリファレンスデータベースを記憶手段に記憶しておき、入力手段から入力される演奏音の種類に応じて１つを選択する。これにより、どのような楽器の演奏音が入力された場合でもその楽器の発音操作に合わせたカロリー消費量を正確に割り出すことができる。
【００１２】
請求項４の発明は、請求項２、３の発明において、前記演算手段が割り出したカロリー消費量を積算する積算手段を備えたことを特徴とする。
【００１３】
この発明において、演奏情報の発生毎にカロリー消費量を割り出す動作を実行するが、これを積算することにより、曲の演奏または曲の練習を通してどの程度のカロリーを消費したかを知ることができる。
【００１４】
請求項５の発明は、請求項１〜３の発明において、曲の所定区間毎の標準的なカロリー消費量を記述したフレーズカロリーデータを記憶した記憶手段を備え、前記演算手段は、前記演奏手段が発生した演奏情報に基づいて前記曲の所定区間毎のカロリー消費量を割り出し、前記フレーズカロリーデータとの比較結果を出力する手段であることを特徴とする。
【００１５】
この発明において、標準的なカロリー消費量とは、たとえば熟練した演奏者が普通に演奏したときのカロリー消費量を用いることができ、割り出された実際のカロリー消費量とこの標準的なカロリー消費量との比較結果を出力することで、演奏者が標準的なレベルからどの程度ずれているかを知ることができる。すなわち、カロリー消費量に基づいて演奏を評価することも可能になる。
【００１６】
【発明の実施の形態】
図１はこの発明の実施形態である演奏カロリー消費量測定装置のブロック図である。この装置は、マイク１０を備えており、演奏者が演奏した楽器の演奏音をこのマイク１０から入力して、この演奏音を発生するために演奏者がどの程度のカロリーを消費したかを測定する装置である。そして、そのカロリー消費量を積算表示する装置である。マイク１０から入力する音は楽器の演奏音に限らず、歌唱者の歌唱音声でもよいが、この実施形態の説明においては、演奏者は歌唱者を含むものとし、演奏音は歌唱音声を含むものとして説明する。
【００１７】
同図において、前記マイク１０から入力された演奏音信号は変換部１１に入力される。変換部１１では、この演奏音信号から演奏情報を抽出する。変換部１１は、演奏音の音量や周波数スペクトルを所定のサンプリング周期で検出する機能部を含み、検出した音量や周波数スペクトルに基づいてノートオン（発音開始）、ノートオフ（消音）、発音の音高、ノートオン時のベロシティなどの演奏情報を割り出す。この変換部１１は例えばＤＳＰ（Ｄｉｇｉｔａｌ  Ｓｉｇｎａｌ  Ｐｒｃｓｓｏｒ）などで構成することができる。割り出された演奏情報は演算部１２に入力される。演算部１２は、変換部１１から入力された演奏情報でリファレンスデータベースを検索してカロリー消費量を割り出す。すなわち、前記演奏音を発生するためにどの程度のカロリーを消費したかを割り出す。リファレンスデータベースは記憶部１３に複数種類記憶されている。各リファレンスデータベースは、それぞれ異なる楽器（歌唱を含む）に対応したものであり、演奏者がこれからどの楽器を演奏するかを操作部１６から入力することにより、その楽器に対応するリファレンスデータベースが演算部１２に設定される。演算部１２が算出した消費カロリー値は積算部１４に入力される。積算部１４は、カロリー消費量積算エリアなどの記憶エリアを有し、演算部１２から入力されたカロリー消費量を積算する。この積算値は表示部１５に表示される。
【００１８】
これにより、演奏者が曲を演奏したり楽器を練習したとき、この演奏や練習により、どの程度カロリーを消費したかを表示部１５に表示することができる。なお、この実施形態では積算部１４の積算値は表示部１５に表示されるのみであるが、出力インタフェースを設けてデータとして外部に出力できるようにしてもよい。
【００１９】
なお、上記カロリー消費量積算エリアは操作部１６の操作によってリセット（クリア）される。操作部１６は、上記楽器を選択するためのこの発明の選択手段に対応する楽器選択スイッチおよびカロリー消費量積算エリアクリアスイッチを含んでいる。カロリー消費量積算エリアクリアスイッチがオンされると、その時点でカロリー消費量積算エリアをクリアし、表示部１５の表示をリセットする。また、楽器選択スイッチで新たな楽器が選択されると、このときも同様に、それまでのカロリー消費量積算エリアをクリアし、表示部１５の表示をリセットする。なお、楽器選択スイッチで新たな楽器が選択された場合でもカロリー消費量積算エリアをクリアしないようにしてもよい。
【００２０】
なお、前記演算部１２、積算部１４は、ハード回路で構成することもできるが、ＣＰＵおよびメモリを用いてソフト的に構成することも可能である。また、この発明の入力手段に対応するマイク１０は、一般のマイクに代えてギターのピックアップなどに用いられるコンタクトマイクやエレキギターの電磁マイクを用いてもよい。コンタクトマイクは、楽器の胴やピアノのフレームに取り付けることによって外部ノイズをキャンセルして楽器の鳴りのみを検出することができる。また、歌唱者の歌唱をピックアップする場合には、骨伝導マイクを用いてもよい。
【００２１】
図２（Ａ）は、前記リファレンスデータベースの構成例を示す図である。この実施形態においてリファレンスデータベースは、演奏カロリー消費量データベースである。演奏カロリー消費量データベースは、楽器の種類に対応して記憶部１３に複数種類記憶されている。その一つを同図（Ａ）に示す。このデータベースは、演奏情報に基づき、その演奏情報を発生するための演奏操作によって演奏者が消費したカロリーを記憶したものであり、カロリー消費量を割り出すための演奏態様として音高情報を含むノートオン情報、ノートオフ情報などの単独の演奏情報に加えて、２音間の音高の間隔、ノートオンの間隔や頻度（単位時間当たりのノートオン回数）など複数の演奏情報からなる演奏態様が記憶されており、そのそれぞれの演奏態様に対応して、演奏者がその演奏態様で演奏したときに消費されるであろうカロリー消費量が記憶されている。
【００２２】
カロリー消費量は、具体的な数値で記憶してもよいが、関数として記憶してもよい。たとえば、発音時は、音高やベロシティによってカロリー消費量が異なるため、音高，ベロシティを変数とする関数で記憶する。音高の間隔はその間隔（半音数）を変数とする関数で記憶する。発音の間隔は、連続する２音間の時間を変数とする関数で記憶する。発音の頻度は、単位時間当たりの発音回数を変数とする関数で記憶する。これらの関数は、ベロシティが大きいほどカロリー消費量が大きい、音高が高いほどカロリー消費量が大きい、連続する２音の音高の間隔（ジャンプ）が大きいほどカロリー消費量が大きい、連続する２音の間隔が短いほどカロリー消費量が大きい、単位時間当たりの発音回数が多いほどカロリー消費量が大きいなどのルールを関数化したものを記憶する。
【００２３】
なお、このカロリー消費量は、熟練した演奏者に実際に演奏させ、そのときの実際のカロリー消費量をサンプリングしたものを用いればよい。
【００２４】
図３は、同演奏カロリー消費量測定装置の動作を示すフローチャートである。同図（Ａ）は通常の演奏モード時の動作を示すフローチャートである。演奏者がマイク１０から演奏音を入力すると（ｓ１）、変換部１１がこの演奏音から演奏情報を抽出する（ｓ２）。そして、この演奏情報（およびそれ以前の演奏情報）で演奏カロリー消費量データベースを検索し、対応するカロリー消費量を読み出すことによって（すなわち、対応する関数を読み出し与えられた変数でこの関数を演算することによって）、演奏操作によるカロリー消費量を算出する（ｓ３）。算出されたカロリー消費量を積算部１４のカロリー消費量積算エリアに積算する（ｓ４）。そして表示部１５のカロリー消費量の表示を更新して（ｓ５）、ｓ１にもどる。表示部１５には、カロリー消費量積算エリアに積算されている積算値を表示するとともに、演奏情報が入力される毎にその演奏操作によるカロリー消費量の瞬時値を表示するようにしてもよい。
【００２５】
同図（Ｂ）は操作部１６の楽器選択スイッチが操作されたときの動作を示すフローチャートである。操作部１６の楽器選択スイッチが操作され楽器が選択されると（ｓ６）、この楽器に対応する演奏カロリー消費量データベースを選択し、演算部１２に設定する（ｓ７）。そして、演奏カロリー消費量積算エリアをリセットして（ｓ８）、表示部１５の表示を０に更新する（ｓ９）。
【００２６】
また同図（Ｃ）は、リセットスイッチがオンされたときの動作を示すフローチャートである。リセットスイッチ１６ａがオンされると（ｓ１０）、演奏カロリー消費量積算エリアをリセットし（ｓ１１）、表示部１７の積算値の表示を０に変更する（ｓ１２）。
【００２７】
図４は上記演奏カロリー消費量測定装置を内蔵したカラオケ装置のブロック図である。この図において、図１の演奏カロリー消費量測定装置と同一構成の部分は同一番号を付して説明を省略する。このカラオケ装置は、通常のカラオケ装置と同様にカラオケ曲を演奏をするとともに、歌唱者の歌唱音声をマイク１０から入力し、これらをミキシングしてスピーカから出力する。さらに、このカラオケ装置は、前記マイク１０から入力された歌唱音声を演奏情報に変換し、この演奏情報に基づいて音程（ピッチ）、音高、タイミングを採点するとともに、この歌唱のカロリー消費量を測定する。さらに、このカロリー消費量を、カラオケ曲の曲データと一緒に記憶されている標準的なカロリー消費量と比較することによって、カロリー消費量に基づいて歌唱の巧拙を判定する。
【００２８】
ここで、図２（Ｂ）を参照して、前記ストレージ２１記憶されている曲データの構成を説明する。同図に示す曲データは上記カラオケ装置の記憶部２１に記憶されているものである。曲データは、カラオケ曲を演奏するための演奏データトラック、歌唱によるフレーズ毎の標準的なカロリー消費量が書き込まれたフレーズカロリートラック、歌詞を表示するための歌詞表示データが書き込まれた歌詞トラック、フレーズの区切りを示すフレーズマークデータなどが書き込まれた制御トラックなどからなっている。
【００２９】
演奏データトラックは、いわゆる自動演奏のためのシーケンスデータが書き込まれたトラックであり、複数の楽器パートのトラックおよびカラオケ歌唱のガイドメロディを発生するためのガイドメロディトラックなどを含んでいる。各トラックは、キーオン・キーオフなどのイベントデータと各イベントデータのタイミングを示すタイミングデータからなっている。キーオンデータ、キーオフデータは、ベロシティ情報、音高情報を含んでいる。また、制御トラックのイベントデータは、曲のフレーズの切れ目を示すフレーズマークデータである。
【００３０】
フレーズカロリートラックには、各フレーズ毎の標準カロリーデータが、フレーズ順に記憶されている。フレーズは、上記フレーズマークデータで区切られる区間である。標準カロリーデータは、各フレーズにおける標準的なカロリー消費量を示すデータであり、熟練した演奏者がこの曲を演奏した場合にこの区間の演奏で消費するカロリーを示している。なお、このフレーズカロリートラックの標準カロリーデータは、熟練した演奏者に実際に演奏させ、そのときの実際のカロリー消費量をサンプリングしたものを用いればよい。
【００３１】
図４において、ストレージ２１には、複数の曲データが記憶されている。制御部２０は、操作部２２の操作に応じて１つの曲データを選択し、これをストレージ２１から読み出して音源２３に供給する。ストレージ２１は、たとえばＤＶＤ、ＣＤ、ハードディスクなどで構成することができる。操作部２２は、装置のパネルに設けられたスイッチ群で構成してもよく、赤外線等で通信するリモコンで構成してもよい。音源２３は、制御部２０から供給された曲データに応じて楽音を発生する。音源２３が発生したカラオケ曲の楽音は、ミキシングアンプ２４に入力される。また、マイク１０からはカラオケ曲の歌唱音声が入力され、この歌唱音声もミキシングアンプ２４に入力される。ミキシングアンプ２４は、入力された楽音と歌唱音声とをミキシングしてスピーカ２５から出力する。
【００３２】
一方、制御部２０は、曲データを音源２３に供給するのと並行して、歌詞トラックの歌詞表示データに基づいて歌詞テロップをパターン展開して表示部３２に供給するとともに、演算部３０にガイドメロディトラックのデータおよびフレーズカロリーデータを供給する。なお、カラオケ装置においては、マイク１０から入力される音声は歌唱音声と決まっているため、演算部３０が用いるリファレンスデータベースは歌唱用のもののみでよく、これは演算部３０に内蔵しておけばよい。
【００３３】
マイク１０から入力された歌唱音声は前記ミキシングアンプ２４に入力されるとともに変換部１１に入力され、この変換部１１において演奏情報に変換される。この演奏情報は演算部３０に入力される。演算部３０は、入力された演奏情報を前記ガイドメロディトラックのデータと比較して、歌唱の音程、音量、タイミングの正確さを判定してポイントを算出するとともに、この演奏情報に基づいて歌唱によるカロリー消費量を算出する。そして、算出されたカロリー消費量を前記フレーズカロリーデータと比較し、その一致の程度で歌唱の巧拙を判定し、ポイントを割り出す。このようにして算出された２種類のポイントは、積算部３１に入力されて積算記憶され、曲が終了したとき、これらを合算した総合のポイントが得点として表示部３２に表示される。表示部３２は、この得点以外に、曲の演奏中に歌詞＋背景映像の画面を表示し、所定のタイミング毎の瞬間的なポイントやカロリー消費量を演算部３０から入力して表示する。
【００３４】
なお、この実施形態において、変換部１１はＤＳＰで構成することができ、制御部２０、演算部３０、積算部３１は、ＣＰＵおよびメモリのコンピュータとソフトウェアで実現することができる。
【００３５】
図５、図６は上記歌唱カロリー消費量測定装置付きカラオケ装置の動作を示すフローチャートである。図５はスイッチ操作を示すフローチャートである。操作部２２の選曲スイッチが操作されると（ｓ１３）、制御部２０は、この選曲操作に対応する曲データをストレージ２１から読み出し（ｓ１４）、歌唱カロリー消費量積算エリアやポイントの積算エリアなどをクリアして（ｓ１５）、カラオケ曲の演奏をスタートする（ｓ１６）。カラオケ曲の演奏は、各トラックのイベントデータをそのタイミングデータに合わせて対応する機能部に出力する動作である。
【００３６】
図６は、演奏中の採点動作を示すフローチャートである。マイク１０から歌唱音声が入力されると（ｓ２１）、この歌唱音声を演奏情報に変換する（ｓ２２）。この演奏情報を一時記憶メモリにバッファリングする（ｓ２３）。そして、今回発生したイベントデータをガイドメロディトラックのデータと比較し（ｓ２４）、歌唱の正確さのポイントを決定する（ｓ２５）。このポイントを積算部３１のポイント記憶エリアに積算記憶する（ｓ２６）。
【００３７】
演奏情報に対応するイベントデータの検索は、ガイドメロディトラック上の現在演奏中の場所に基づいて判断するが、今回の演奏情報だけでなくそれまでに発生した演奏情報について総合的に判断して決定する。そして、対応するイベントデータが検索されると、そのイベントデータと今回発生した演奏情報とを比較し、音高の一致／不一致、ベロシティの一致度、タイミングのズレなどを評価してポイントを算出すればよい。
【００３８】
次に、この演奏情報（およびそれ以前の演奏情報）で演奏カロリー消費量データベースを検索し、対応するカロリー消費量を読み出すことによって、すなわち、対応する関数を読み出し与えられた変数でこの関数を演算することによって演奏操作によるカロリー消費量を算出する（ｓ２６）。算出されたカロリー消費量を積算部３１のフレーズカロリー消費量積算エリアに積算する（ｓ２７）。フレーズの区切りまたは曲の終了までｓ２１〜ｓ２７の動作を繰り返し実行する（ｓ２８）。
【００３９】
フレーズマークデータの読み出しによってフレーズの区切りであることが判断された場合には（ｓ２８）、いま終了したフレーズのカロリー消費量を表示部３２に表示するとともに（ｓ３０）、このフレーズに対応する標準カロリーデータをフレーズカロリートラックから読み出し（ｓ３１）、前記積算したカロリー消費量とこの標準カロリーデータとを比較し、この比較結果に基づいてポイントを算出する（ｓ３２）。すなわち、習熟度が高いほど演奏者のカロリー消費量が標準カロリーデータに近づくというルールでポイントを算出する。すなわち、ここでカロリー消費量は、打鍵の強さ等から総合的に判断される演奏動作の評価に用いられている。そして、この算出されたポイントをポイント積算エリアに積算する（ｓ３３）。このポイントは上記演奏情報とイベントデータとの一致度に基づいて算出したポイントと一緒に積算してもよく、別々に積算してもよい。そして、このフレーズのカロリー消費量を曲全体のカロリー消費量を積算するカロリー消費量積算エリアに転記し、フレーズカロリー消費量積算エリアをクリアしたのち（ｓ３４）、ｓ２１にもどる。
【００４０】
一方、入力された演奏情報や曲データの終了などで曲の終了が判断された場合には（ｓ３５）、まずフレーズ処理を実行する（ｓ３６）。このフレーズ処理はフレーズ終了時に実行する処理であり、前記ｓ３０〜ｓ３４と同様の処理である。こののち、カロリー消費量積算エリアに積算されている総カロリー消費量を表示し（ｓ３７）、ポイント積算エリアに積算されているポイントを総合得点として表示して（ｓ３８）、動作を終了する。
【００４１】
このように、このカラオケ装置では、歌唱者がマイク１０に向かって歌唱すれば、音程、音量、タイミングに基づいてその曲をどの程度うまく歌唱したかを判定することができるとともに、その演奏によってカロリーをどの程度消費したかを計測表示することができる。また、標準的なカロリー消費量をフレーズ毎に記憶し、これと実際の消費量とを比較するようにしているため、より精度よく、単に技量だけでなく演奏の巧拙を判断することができる。
【００４２】
なお、上記実施形態ではカロリー消費量の積算値を数値で表示するのみであるが、積算値が所定値になったところでキャラクターなどを表示するようにすることで、所定値へ到達したことがハッキリわかり演奏者の励みにすることができる。また、カロリー消費量の瞬時値や積算値を数値ではなくグラフ表示するようにしてもよい。
【００４３】
また、カロリー消費量の積算値を実際にそれだけのカロリーを有する食物に対応させてグラフィック表示するようにしてもよい。
【００４４】
【発明の効果】
以上のようにこの発明によれば、演奏者（歌唱者）が演奏操作（歌唱）によってどの程度カロリーを消費したかを知ることができるため、楽器の練習の程度をそれで知ることができるとともに、楽器の練習とダイエットとを両立させることも可能になる。また、練習による疲労感かあってもカロリー消費量が客観的に分かるため満足感をえることができる。
【図面の簡単な説明】
【図１】この発明の実施形態である演奏カロリー消費量測定装置のブロック図
【図２】同電子楽器の演奏カロリー消費量データベースおよび曲データの構成を示す図
【図３】同電子楽器の動作を示すフローチャート
【図４】この発明の他の実施形態である歌唱カロリー消費量測定装置付きカラオケ装置のブロック図
【図５】同カラオケ装置の動作を示すフローチャート
【図６】同カラオケ装置の動作を示すフローチャート
【符号の説明】
１０…マイク、１１…変換部、１２…演算部、１３…記憶部、１４…積算部、１５…表示部、１６…操作部、
２０…制御部、２１…ストレージ、２２…操作部、２３…音源、２４…ミキシングアンプ、２５…スピーカ、３０…演算部、３１…積算部、３２…表示部
【図１】
0004232299.tif 000002
【図２】
0004232299.tif 000003
【図３】
0004232299.tif 000004
【図４】
0004232299.tif 000005
【図５】
0004232299.tif 000006
【図６】
0004232299.tif 000007